(57)【要約】      （修正有）【課題】羽毛製品から羽毛を取り出し易くする工程を機械化し、作業を効率化できる技術を提供すること。【解決手段】羽毛封入体を支持する支持手段１０と、羽毛封入体を支持手段１０に沿って移動させる送り手段２０と、送り手段２０による送り方向に沿って羽毛封入体の羽毛封入被膜を切断する第１切断手段３０と、送り手段２０による送り方向に対する交叉方向に沿って切断する第２切断手段４０と、少なくとも送り手段２０と第２切断手段４０の互いの動きを制御する制御手段５０と、羽毛封入被膜が切断された羽毛封入体から羽毛を取り出す羽毛取出し手段６０と、を有する羽毛回収装置１。【選択図】図１
2020146258.tif 000002
【特許請求の範囲】
【請求項１】
羽毛封入体を支持する支持手段と、
羽毛封入体を前記支持手段に沿って移動させる送り手段と、
送り手段による送り方向に沿って羽毛封入体の羽毛封入被膜を切断する第１切断手段と、
送り手段による送り方向に対する交叉方向に沿って切断する第２切断手段と、
少なくとも送り手段と第２切断手段の互いの動きを制御する制御手段と、
羽毛封入被膜が切断された羽毛封入体から羽毛を取り出す羽毛取出し手段と、を有する羽毛回収装置。
【請求項２】
羽毛封入体を支持する支持手段と、
羽毛封入体の羽毛封入被膜を切断する第１切断手段と、
第１切断手段の切断方向に対する交叉方向に羽毛封入被膜を切断する第２切断手段と、を有する羽毛回収装置。
【請求項３】
羽毛封入体を支持手段に沿って移動させる送り手段をさらに有する請求項２記載の羽毛回収装置。
【請求項４】
少なくとも送り手段と第２切断手段の互いの動きを制御する制御手段をさらに有する請求項２又は請求項３記載の羽毛回収装置。
【請求項５】
羽毛封入被膜が切断された羽毛封入体から羽毛を取り出す羽毛取出し手段をさらに有する請求項２〜請求項４何れか１項記載の羽毛回収装置。
【請求項６】
第１切断手段が、支持手段上に固定した切断刃固定軸と、切断刃固定軸上に設けた第１切断刃と、切断刃固定軸を回転させる切断刃固定軸駆動モータと、を有する請求項１〜請求項５何れか１項記載の羽毛回収装置。
【請求項７】
第２切断手段が、支持手段上に固定した切断刃移動軸と、その切断刃移動軸に沿って移動する切断刃移動車と、切断車移動車に設けた第２切断刃と、切断刃移動車を切断刃移動軸に沿って移動させる切断刃移動車駆動モータと、を有する請求項１〜請求項６何れか１項記載の羽毛回収装置。
【請求項８】
送り手段によって羽毛封入体を一方向に送りながら、羽毛封入体の表面布を前記一方向に第１切断手段で切断し、羽毛封入体の送りを止めてから、羽毛封入体の表面布を前記一方向に対する交叉方向に第２切断手段で切断し、四角形状の羽毛割り付け領域を形成する仕切り線に沿った３辺に切り口を入れる羽毛の回収方法。
【発明の詳細な説明】
【技術分野】
【０００１】
本発明は、羽毛を封入する羽毛布団やダウンジャケット等の羽毛製品から羽毛を取り出す羽毛回収装置及び羽毛の回収方法に関する。
【背景技術】
【０００２】
羽毛布団やダウンジャケット等に利用される羽毛は、吸湿性や保温性に優れ、軽量であるため、これらの製品の他にも羽毛を使った製品は多く知られている。ところが羽毛は人工物ではなく資源としては限られており、高価なものであることから、古くなった羽毛製品から羽毛だけを取り出して再利用する要求がある。
【０００３】
こうした要求に対し、羽毛製品から羽毛を取り出すには、羽毛製品の表面材を人手によって切断し中から羽毛を取り出していた。そのため、羽毛が飛散するなどして効率が悪く、また衛生的にも好ましいものではないことから機械化が望まれていた。しかしながら、羽毛製品を切断して羽毛を取り出すための装置は開発されておらず、関連する技術として、圧縮された粗羽毛梱を切開する特開昭５２−４６１１９号公報（特許文献１）に記載されたような技術が開示されているだけであった。
【先行技術文献】
【特許文献】
【０００４】
【特許文献１】特開昭５２−４６１１９号公報
【発明の概要】
【発明が解決しようとする課題】
【０００５】
そこで本発明は、上記課題を解決するためになされたものであり、羽毛製品から羽毛を取り出し易くする工程を機械化し、作業を効率化できる技術を提供するものである。
【課題を解決するための手段】
【０００６】
上記の課題を解決するために、本発明は次の（１）〜（８）を構成する。
（１）羽毛封入体を支持する支持手段と、羽毛封入体を前記支持手段に沿って移動させる送り手段と、送り手段による送り方向に沿って羽毛封入体の羽毛封入被膜を切断する第１切断手段と、送り手段による送り方向に対する交叉方向に沿って切断する第２切断手段と、少なくとも送り手段と第２切断手段の互いの動きを制御する制御手段と、羽毛封入被膜が切断された羽毛封入体から羽毛を取り出す羽毛取出し手段と、を有する羽毛回収装置である。
（２）羽毛封入体を支持する支持手段と、羽毛封入体の羽毛封入被膜を切断する第１切断手段と、第１切断手段の切断方向に対する交叉方向に羽毛封入被膜を切断する第２切断手段と、を有する羽毛回収装置である。
（３）羽毛封入体を支持手段に沿って移動させる送り手段をさらに有する前記羽毛回収装置である。
（４）少なくとも送り手段と第２切断手段の互いの動きを制御する制御手段をさらに有する前記羽毛回収装置である。
（５）羽毛封入被膜が切断された羽毛封入体から羽毛を取り出す羽毛取出し手段をさらに有する前記羽毛回収装置である。
（６）第１切断手段が、支持手段上に固定した切断刃固定軸と、切断刃固定軸上に設けた第１切断刃と、切断刃固定軸を回転させる切断刃固定軸駆動モータと、を有する前記羽毛回収装置である。
（７）第２切断手段が、支持手段上に固定した切断刃移動軸と、その切断刃移動軸に沿って移動する切断刃移動車と、切断車移動車に設けた第２切断刃と、切断刃移動車を切断刃移動軸に沿って移動させる切断刃移動車駆動モータと、を有する前記羽毛回収装置である。
（８）送り手段によって羽毛封入体を一方向に送りながら、羽毛封入体の表面布を前記一方向に第１切断手段で切断し、羽毛封入体の送りを止めてから、羽毛封入体の表面布を前記一方向に対する交叉方向に第２切断手段で切断し、四角形状の羽毛割り付け領域を形成する仕切り線に沿った３辺に切り口を入れる羽毛の回収方法である。
【発明の効果】
【０００７】
本発明の羽毛回収装置によれば、羽毛の回収を効率的に行うことができる。
【図面の簡単な説明】
【０００８】
【図１】第１実施形態の羽毛回収装置の構成を示すブロック図である。
【図２】第１実施形態の羽毛回収装置の一部を示す斜視図である。
【図３】羽毛布団の模式平面図である。
【発明を実施するための形態】
【０００９】
実施形態に基づき本発明をさらに詳細に説明する。なお、各実施形態において、同一の部位、材料、機能、作用効果等については、重複説明を省略する。
【００１０】
第１実施形態［図１，図２］：
第１実施形態として説明する羽毛回収装置１は、図１のブロック図で示すように、羽毛封入体Ｕを支持する支持手段１０と、羽毛封入体Ｕを支持手段に沿って移動させる送り手段２０と、送り手段２０による送り方向に沿って羽毛封入体Ｕの羽毛封入被膜を切断する第１切断手段３０と、送り手段２０による送り方向に対する交叉方向に沿って切断する第２切断手段４０と、送り手段２０と第１切断手段３０、そして第２切断手段４０の互いの動きを制御する制御手段と、羽毛封入被膜が切断された羽毛封入体Ｕから羽毛を取り出す羽毛取り出し手段６０と、を有している。
この羽毛回収装置１は、羽毛封入体Ｕとしての羽毛布団Ｕからの羽毛の取り出しに適した装置である。以下、羽毛回収装置１を構成する各部分について図１と図２の斜視図を参照して説明する。
【００１１】
支持手段１０：  支持手段１０としてのテーブル１０は、羽毛布団Ｕを載置し、後述する切断手段で羽毛布団Ｕの表面布（羽毛封入被膜）を切断する作業台として機能するものである。テーブル１０の幅は、1枚の布団を開いて乗せる大きさとすることが好ましく、ダブルサイズの布団の幅に対応できる長さを有することが好ましい。一方、その奥行きは、後述する羽毛がまとまって入った領域である羽毛割り付け領域Ｒの長さよりは長くすることが好ましいが、羽毛布団Ｕの全長ほどは長くする必要はない。一方、その高さは人間がテーブル１０の上に羽毛布団Ｕの端を乗せる作業がし易い腰の高さ程度が好ましいが、羽毛封入体自動装着装置のような機械装置を用いればこの限りではない。
【００１２】
送り手段２０：送り手段２０は、テーブル１０の手前縁１０ａから垂直方向奥側に羽毛布団Ｕを移動させるものである。説明の便宜上、テーブル１０の手前縁１０ａの広がり方向を幅方向といい、これに対する垂直方向を奥行き方向と言うことにすると、送り手段２０は、奥行き方向に羽毛布団Ｕを送るものである。羽毛回収装置１における送り手段２０では、少なくとも４つのローラ２１（送りローラ２１）とそれらを掛け渡すチェーン２２と、少なくとも一つのローラ２１を回転させる駆動モータである羽毛送りモータ２３とを有している。但し、図２で示す送り手段２０では、手前縁１０ａ側の４本のローラ２１及び２本のチェーン２２で形成する一組に対して連結部２４を介して奥側縁１０ｂにこの一組と同様のもう一組を形成している。
【００１３】
手前縁１０ａ側の一組のローラ２１とチェーン２２についてみると、ローラ２１の回転軸がテーブル１０の手前縁１０ａと平行になるようにローラ２１を配置している。また、チェーン２２がテーブル１０の手前縁１０ａに対して垂直方向、即ち奥行き方向に伸びるように形成している。また、テーブル１０の表面１０ｃに対してローラ２１の表面が所定の間隔を開けて浮くようにローラ２１を配置している。チェーン２２は、表面が摩擦抵抗の大きいゴムや表面に凹凸を設けた樹脂などで形成する。奥側縁１０ｂ側の一組も同様である。このように送り手段２０を配置することで、ローラ２１の表面とテーブル１０の表面１０ｃとの間の隙間に挟まれた羽毛布団Ｕはローラ２１とチェーン２２の回転によってテーブル１０の表面１０ｃとチェーン２２の表面を摺動しながら手前縁１０ａから奥側に送られる。
【００１４】
第１切断手段３０：  テーブル１０上には、羽毛布団Ｕの表面布を切断するための第１切断手段３０を設けている。第１切断手段３０は、羽毛回収装置１では送り手段２０による送り方向に沿って羽毛布団Ｕの表面布を切断するものであり、テーブル１０の手前縁１０ａに垂直な丸刃３１（第１切断刃３１）で形成している。この丸刃３１は、テーブル１０の手前縁１０ａに平行な切断刃固定軸３２上に設けられており、切断刃固定軸３２は切断刃固定軸駆動モータ３３に連結している。切断刃固定軸駆動モータ３３により切断刃固定軸３２を軸回りに回転させることで丸刃３１を回転可能にしている。第１切断手段３０である丸刃３１は、送り手段２０を構成するチェーン２２の間、換言すれば手前側のローラ２１と奥側のローラ２１の間位置に設置することが好ましい。
【００１５】
第１切断手段３０は、羽毛布団Ｕに備わる後述する仕切り線Ｌの両側に沿って表面布を切断することが好ましいため、２枚の丸刃切断刃を所定の間隔で対にした２枚対刃を準備しておくことが好ましい。また、丸刃３１は、羽毛回収装置１の運転中は切断刃固定軸３２に固定されているが、運転を止めているときに所望の間隔に調整配置できるように切断刃固定軸３２上を移動可能に装着している。また、丸刃３１を回転させる際には、羽毛布団Ｕの送り方向とは反対方向となるように回転させることで、丸刃３１による表面布の切断を確実にすることができる。羽毛回収装置１の運転中は、丸刃３１は切断刃固定軸３２に固定された位置にあり、送り手段２０により奥行き方向に羽毛布団Ｕが送られる際に、丸刃３１が羽毛布団Ｕの表面布を送り方向に沿って切断する。
【００１６】
羽毛布団Ｕでは、羽毛が入って膨らんだ部分と表裏を縫い合わせた凹んだ部分があり、こうした凹凸のある表面を切断するため、丸刃３１を用いることで、こうした厚みの相違に対応でき、回動させることもできるため、表面布との間での引っかかりを少なくすることができる。
【００１７】
第２切断手段４０：  テーブル１０上にはまた、第１切断手段３０とは別に羽毛布団Ｕの表面布を切断する第２切断手段４０を設けている。羽毛回収装置１における第２切断手段４０は、送り手段２０による送り方向に対してそれに交叉する方向、ここでは垂直方向である幅方向に沿って羽毛布団Ｕの表面布を切断するものであり、テーブル１０の手前縁１０ａに平行な切断刃移動軸４２上を、その軸に沿って幅方向に移動する丸刃４１（第２切断刃４１）で形成している。より具体的には、この丸刃４１は、切断刃移動軸４２上に設けた切断刃移動車４３上に設けられており、切断刃移動車４３は切断刃移動車駆動モータ４４に連結している。切断刃移動車駆動モータ４４により切断刃移動車４３を切断刃移動軸４２の長さ方向に移動することで丸刃４１を幅方向への移動を可能にしている。切断刃移動車４３による丸刃４１の移動は、送り手段２０の動きを止めて、羽毛布団Ｕを止めた状態で行われる。なお、丸刃４１には別途、丸刃４１を回転させる図示せぬ駆動モータを設けておくこともできる。
【００１８】
第２切断手段４０では、テーブル１０の幅方向の左側から右側、あるいは右側から左側に移動する何れか一方で表面布を切断することができるため、どちらの移動方向でも表面布を切断できるように丸刃４１とすることが好ましい。また、丸刃４１を回転させる際には、羽毛布団Ｕを止めた状態で表面布を切断するため、丸刃４１の移動方向に対する順方向となるように回転させることで、丸刃４１による表面布の切断を確実にすることができる。
【００１９】
制御手段５０：  制御手段５０は、少なくとも送り手段２０による羽毛布団Ｕの奥行き方向への移動と、第２切断手段４０の丸刃４１による羽毛布団Ｕの幅方向への移動とを連携させるものであり、好ましくは第１切断手段３０の丸刃３１の回転も併せて連携させるものである。
制御手段５０は、羽毛回収装置１の運転プログラムに従い、送り手段２０の羽毛送りモータ２３と、第２切断手段４０の切断刃移動車駆動モータ４４のそれぞれのモータの動き始めと終わりを制御し、好ましくは第１切断手段３０の切断刃固定軸駆動モータ３３の動き始めと終わりも併せて制御する。この制御手段５０によれば、送り手段２０による羽毛布団Ｕの移動と停止、そして第２切断手段４０の丸刃４１の移動と停止のタイミングを制御できるので、羽毛布団Ｕの送りから第１切断手段３０及び第２切断手段４０による表面布の切断を自動化できる。羽毛回収装置１の制御手段５０には、制御モニターやキーボード等の入力装置を通じて、羽毛を回収すべき羽毛布団Ｕの種類に応じた所定の項目、例えば、後述する羽毛割り付け領域Ｒの大きさ等を作業者が入力すれば、羽毛布団Ｕの種類に応じた好適な動作タイミングが計算される。
【００２０】
羽毛取り出し手段６０：  羽毛取り出し手段６０は、表面布が切断された羽毛布団Ｕから羽毛を取り出すものであり、羽毛回収装置１では、羽毛取り出し手段６０として、テーブル１０における手前縁１０ａとは反対の奥側に広口開口６１ａを有し、この広口開口６１ａから連通ホース６１ｂまで先細りとなる吸引ダクト６１と、この連通ホース６１ｂの先に設け、吸引ダクト６１を吸引するコンプレッサー等の吸引手段６２と、吸引ダクト６１による吸引力で羽毛が広口開口６１ａに向かって吸引されるようにテーブル１０の表面を覆う気密カバー６３と、から構成している。
【００２１】
吸引ダクト６１の広口開口６１ａは、テーブル１０の表面に対向した底面開口と、テーブル１０の手前縁１０ａに臨む吸引ダクト６１の前面下端に設けた前面開口と、を有しており、表面布を切断している羽毛布団Ｕから羽毛を吸引し易くしている。底面開口の幅の長さはテーブル１０の幅の長さと同程度とし、テーブル１０の幅方向での羽毛の吸引を確実にできるようにしている。送り方向の長さは幅方向に比べて短く、テーブル１０上を羽毛布団Ｕが移動する速さに関係して設定し、羽毛が吸引ダクト６１内に吸引されずに羽毛布団Ｕ内に残ってしまうことが無いような長さとしている。吸引ダクト６１の広口開口６１ａとは反対側の開口は後述する吸引手段６２と連通する連通ホース６１ｂに通じている。
【００２２】
吸引手段６２は、吸引ダクト６１を通じて羽毛を吸引できるものであれば良く例えばコンプレッサーを用いることができる。気密カバー６３は、特に設けなくても吸引ダクト６１から羽毛を吸収することができるが、羽毛の室内への飛散防止や、より効率的に吸引ダクト６１から羽毛を吸収できるようにテーブル１０の表面側を覆うようにしたものである。吸引ダクト６１からの吸引力が羽毛布団Ｕに及び羽毛が広口開口６１ａに向かって吸い寄せられる程度の気密性を保つことが好ましい。気密カバー６３の内側、即ち羽毛布団Ｕやテーブル１０の表面側が吸引手段６２による吸引によって減圧になっても、その形状をとどめるだけの硬さがあれば良く、硬質樹脂で形成したり、ビニールハウスのように薄いい樹脂フィルムであっても枠組みに硬質材を設けるなどして形成できる。
【００２３】
作用：  羽毛回収装置１の作用について説明する。まず、羽毛を回収する対象となる羽毛布団Ｕに設けられた仕切り線Ｌと、これによって仕切られた羽毛割り付け領域Ｒを確認し、羽毛割り付け領域Ｒに即した第１切断手段３０の位置調整や、送り手段２０による単位送り長さの設定を行う。羽毛布団Ｕには、図３の模式平面図で示すように、羽毛が羽毛布団の中で偏在しないように、布団の表側の表面布と裏側の表面布とを縫い合わせた仕切り線Ｌが縦横に設けられており、この仕切り線Ｌで区分けされた羽毛割り付け領域Ｒが存在する。羽毛をもれなく羽毛布団Ｕから取り出すためには、全ての羽毛割り付け領域Ｒを切断する必要がある。そして、羽毛割り付け領域Ｒを切断するときは、図３の部分拡大図で示すように、羽毛割り付け領域Ｒごとにその仕切り線Ｌの近傍に沿って表面布を切断した切り口Ｋを形成することが好ましい。仕切り線Ｌの近傍付近に羽毛が残り易いため、仕切り線Ｌの近傍で切断した方が羽毛の取り残しを減らすことができるからである。したがって、羽毛布団Ｕの送り方向に表面布を切断する第１切断手段３０である丸刃３１は、前記送り方向に沿う仕切り線Ｌに沿ってその両側近傍を切断できる位置に配置しておく。
【００２４】
作業者は、テーブル１０の手前縁１０ａ側から羽毛布団Ｕをテーブル１０の端に乗せ、その羽毛布団Ｕの端部が送り手段２０に当たるようにして、制御手段５０のスイッチを入れると、送り手段２０のローラ２１とテーブル１０の表面に挟まれた羽毛布団Ｕは、送り手段２０のチェーン２２の回転に沿ってテーブル１０の表面を摺動し奥側へ移動する。このとき、送り手段２０を構成する手前側のローラ２１と奥側のローラ２１の間の位置に第１切断手段３０である丸刃３１を配置しているので、羽毛布団Ｕが奥側に送られる間にその表面布を奥行き方向に切断する。
【００２５】
羽毛布団Ｕが奥行き方向に送られ、幅方向の仕切り線Ｌが第２切断手段４０の丸刃４１まで来ると、制御手段５０が送り手段２０をストップする。そして、第２切断手段４０である丸刃４１を幅方向に片側からもう一方側、例えば、左側から右側に動かすことで、幅方向に伸びる仕切り線Ｌに沿って、その片側の表面布を切断する。こうして図３の拡大図で示すように、一つ一つの羽毛割り付け領域Ｒの３辺を第１切断手段３０と第２切断手段４０によって切断し、一つの羽毛割り付け領域Ｒについてコ字状の切り口Ｋを形成する。なお、幅方向の切り口は、幅方向の仕切り線Ｌよりも奥行き側に設けることが好ましい。手前側を切断するよりも吸引ダクト６１から羽毛を吸引させる際に、コ字状の切り口がより開放し易いからである。換言すれば、こうした位置に第２切断手段４０による切り口が形成できるように制御手段５０で送り手段２０を制御することが好ましい。
【００２６】
こうして羽毛割り付け領域Ｒの一マス分だけ表面布を切断した後、再び、送り手段２０によって羽毛割り付け領域Ｒの一マス分だけ羽毛布団Ｕを送り方向に移動させる。そして羽毛布団Ｕの動きをストップさせて、第２切断手段４０を動かす。このとき、第２切断手段４０である丸刃４１は、一マス前の羽毛割り付け領域Ｒを切断したときとは反対方向、即ち、右側から左側に動かすことで、幅方向に伸びる仕切り線Ｌに沿って表面布を切断する。そして、また送り手段２０によって羽毛布団Ｕを送り方向に移動させる。制御手段５０によってこの動きを繰り返させることで、一つ一つの羽毛割り付け領域Ｒの３辺を第１切断手段３０と第２切断手段４０によって切断する。
【００２７】
そうした一方で、羽毛取り出し手段６０の吸引手段６２を動かして吸引ダクト６１の広口開口６１ａから羽毛を吸引する。即ち、掃除機の床用ノズルからゴミを吸い込むのと同じように、広口開口６１ａに対向する位置に表面布が切断された羽毛布団Ｕが送られてくると、羽毛は吸引ダクト６１に吸い込まれる。吸引ダクト６１を通じて吸引した羽毛は、図示せぬ羽毛溜まりに送ることで回収する。一方で、羽毛が吸い出されて残った羽毛布団Ｕの表面布は、テーブル１０の奥側縁１０ｂから下に落として回収する。羽毛布団Ｕの先に予め錘を付けておくことで表面布をテーブル１０から下に落としやすくすることができる。
【００２８】
第１切断手段３０と第２切断手段４０による表面布の切断作業、及び吸引ダクト６１からの吸引作業において、テーブル１０の上は気密カバー６３で覆っているため、室内に羽毛が飛び散ることはなく、作業環境は良好である。また、羽毛布団Ｕの表面布の切断は第１切断手段３０と第２切断手段４０とによって機械化されているため、作業効率が優れている。さらに、羽毛取り出し手段６０によって、羽毛布団Ｕからの羽毛の取り出しも機械化されているため、この点でも作業効率が優れている。
【００２９】
第２実施形態［図示せず］：
第２実施形態として説明する羽毛回収装置は、羽毛封入体を支持する支持手段と、羽毛封入体の羽毛封入被膜を切断する第１切断手段と、第１切断手段の切断方向に対する交叉方向に羽毛封入被膜を切断する第２切断手段と、を有している。
【００３０】
この羽毛回収装置は、羽毛封入体としてのダウンジャケットからの羽毛の取り出しに適した装置であり、支持手段はダウンジャケットをつかむクリップである。クリップの大きさはダウンジャケットを吊り下げて保持できるものであれば良い。第１切断手段は、ダウンジャケットの表面布を一方向に切断するものであり、クリップで保持したダウンジャケットの表面布を例えば横方向に複数箇所が切断できるように、複数の棒状の切断刃で形成している。この複数の切断刃は、切断刃取付具に平行に取り付けておき、切断刃取付具は支持板に取り付けておく。そして、駆動モータによって支持板上に取り付けた切断刃取付具を動かすことでダウンジャケットの表面布を切断する。第２切断手段も第１切断手段と同様の構造とすることができるが、取り付けられた切断刃の動きが第１切断手段に対する交叉方向、即ち、第１切断手段の横方向に対してある程度の角度（３０°〜９０°）を付けた方向に切断できるようにしておく。ダウンジャケットから取り出す羽毛は、ダウンジャケットを吊した下方に置いた羽毛受けに受け入れるようにする。
【００３１】
こうした羽毛回収装置によれば、ダウンジャケットの表面に第１切断手段と第２切断手段を交互におき、モータを駆動させることで切断刃を動かしてダウンジャケットの表面布を切断する。そして手作業等で羽毛受けに羽毛を取り出すことができる。この羽毛回収装置によれば、ダウンジャケットの表面布の切断を第１切断手段と第２切断手段とで機械化したため、表面布の切断を効率的に行え、ダウンジャケットからの羽毛の取り出しが容易である。
【００３２】
第２実施形態の羽毛回収装置の変形例として、これに羽毛取り出し手段を設けることができる。羽毛取り出し手段は、表面布が切断されたダウンジャケットから羽毛を取り出すものであり、クリップに取り付けられたダウンジャケットの全面を覆う気密カバーと、気密カバーの下方から外方に出る連通ホースと、その連通ホースの先に設けた吸引手段とから形成することができる。この場合には、気密カバーの内面を第１切断手段又は第２切断手段における切断刃取付具を取り付ける支持板とすることもできる。この羽毛回収装置によれば、羽毛の取り出しも機械化され気密カバーによる羽毛の飛散を防止することができ、効率的にも作業環境的にも優れたものとなる。
【００３３】
上記実施形態は本発明の一例であり、公知の手段や方法をさらに備えるものであっても良く、本発明の趣旨を変更しない範囲で適宜、変更が可能であり、例えば、第１実施形態と第２実施形態とで説明した各装置を互いに変更利用することもできる。第１実施形態の羽毛回収装置１にダウンジャケットを通し、ダウンジャケットから羽毛を回収する装置として用いても良いし、第２実施形態の羽毛回収装置の支持手段に板状体を用い、その板状態にダウンジャケットを支持するようにしても良い。あるいはまた、第１実施形態の羽毛回収装置１において、第１切断手段３０と第２切断手段４０には丸刃３１，４１を用いることとしたが、第２実施形態で説明したような棒状刃とすることもできる。これらは変更例の一例である。
【００３４】
第１実施形態の羽毛回収装置１において、テーブル１０上への羽毛布団Ｕの載置は人力によって行うこととして説明したが、図示せぬ羽毛封入体自動装着装置といったものを用い、テーブル１０への羽毛布団Ｕの移動、載置を機械化することも可能である。
【符号の説明】
【００３５】
１  羽毛回収装置（第１実施形態）
１０  支持手段（テーブル）
１０ａ  テーブルの手前縁
１０ｂ  テーブルの奥側縁
１０ｃ  テーブルの表面
２０  送り手段
２１  ローラ（送りローラ）
２２  チェーン
２３  羽毛送りモータ
２４  連結部
３０  第１切断手段
３１  丸刃（第１切断刃）
３２  切断刃固定軸
３３  切断刃固定軸駆動モータ
４０  第２切断手段
４１  丸刃（第２切断刃）
４２  切断刃移動軸
４３  切断刃移動車
４４  切断刃移動車駆動モータ
５０  制御手段
６０  羽毛取り出し手段
６１  吸引ダクト
６１ａ    広口開口
６１ｂ  連通ホース
６２  吸引手段（コンプレッサー）
６３  気密カバー
Ｕ  羽毛封入体（羽毛布団）
Ｒ  羽毛割り付け領域
Ｌ  仕切り線
Ｋ  切り口
【図１】
2020146258.tif 000003
【図２】
2020146258.tif 000004
【図３】
2020146258.tif 000005